(57)【要約】【課題】  結束注入細管の構造、地盤中への定着方法および地盤注入工法が開示される。地下水面下の浮力の働く地盤で所定位置に定着し得、所定深度への注入を可能とする。【解決手段】  結束注入細管１は各々に吐出口２を有する複数の細管３，３・・・３を結束し、先端８に定着部材９を装着して構成される。この結束注入細管１は地盤５中に挿入し、定着部材９により地盤５中の所定位置に定着され、吐出口２から注入液を吐出して地盤５を固結する。【選択図】  図１−A
2005042426.tif 000002
【特許請求の範囲】
【請求項１】
各々に吐出口を有する複数の細管を結束して構成され、これを地盤中に挿入し、前記各々の細管を通して各吐出口から地盤中に注入材を注入する結束注入細管において、該結束注入細管の先端部に定着部材を装着して該結束注入細管を地盤に定着させることを特徴とする結束注入細管構造。
【請求項２】
請求項１において、定着部材がアンカー部材である請求項１に記載の結束注入細管構造。    
【請求項３】
請求項１において、定着部材が錘りである請求項１に記載の結束注入細管構造。
【請求項４】
請求項１において、定着部材が流体の注入により膨張する袋体である請求項１に記載の結束注入細管構造。
【請求項５】
請求項１において、複数の細管が柔軟性カバーチューブで囲繞することにより結束され、結束注入細管を構成する請求項１に記載の結束注入細管構造。  
【請求項６】
請求項５において、各細管吐出口をカバーチューブの外側に臨ませる請求項５に記載の結束注入細管構造。
【請求項７】
請求項１において、結束注入細管の任意個所に流体の注入によって膨張するパッカ用袋体が装着される請求項１に記載の結束注入細管構造。
【請求項８】
次の工程（ａ）〜（ｃ）からなる結束注入細管の地盤中への定着方法。
（ａ）地盤中にケーシングを削孔しながら配置する。
（ｂ）吐出口を有する複数の細管を結束し、かつ先端部に定着部材を装着して構成された結束注入細管をケーシング中に挿入する。
（ｃ）ケーシングのみを引き抜くとともに、結束注入細管の先端に装着された定着部材を地盤中のそのままの位置に定着させることにより、結束注入細管を地盤中に定着させる。
【請求項９】
請求項８において、定着部材がアンカー部材であり、ケーシングのみを引き抜くとともに、アンカーを地盤中のそのままの位置に定着させる請求項８の定着方法。
【請求項１０】
請求項８において、定着部材が錘りであり、ケーシングのみを引き抜くことにより錘りを地盤中のそのままの位置に定着させる請求項８の定着方法。
【請求項１１】
請求項８において、定着部材が流体の注入により膨張する袋体であり、ケーシングのみを引き抜くとともに、袋体に流体を圧入して膨張させ、膨張した袋体を地盤中のそのままの位置に定着させる請求項８の定着方法。
【請求項１２】
請求項８において、ケーシング中にシールグラウトを注入し、該結束注入細管をシールグラウトで覆って地盤中に定着させる請求項８の定着方法。
【請求項１３】
請求項８において、ケーシング中に前記結束注入細管を挿入し、該結束注入細管の少なくとも一本に流体を圧入しながらケーシングを引き抜いて結束注入細管を地盤中に定着させる請求項８の定着方法。
【請求項１４】
請求項８において、結束注入細管の任意の個所に流体の注入によって膨張するパッカ用袋体を装着し、注入材の注入に先だって、袋体中に流体を注入し、膨張させて結束注入細管と削孔壁の間にパッカを形成する請求項８の定着方法。
【請求項１５】
各々に吐出口を有する複数の細管を結束し、先端部に定着部材を装着してなる結束注入細管を地盤中に圧入し、該定着部材により該結束注入細管を地盤中に定着させることを特徴とする結束注入細管の地盤中への定着方法。
【請求項１６】
請求項１５によって地盤中に定着された結束注入細管の吐出口から注入液を地盤中に注入することを特徴とする地盤注入工法。
【請求項１７】
地盤に形成された削孔中に、複数の細管を結束し、先端に定着部材の装着された結束注入細管を挿入して前記結束注入細管を地盤中に定着し、次いで、該細管の吐出口から注入液を地盤中に注入することを特徴とする地盤注入工法。
【請求項１８】
地盤の削孔に設置されたケーシング中に、複数の細管を結束し、先端に定着部材が装着された結束注入細管を挿入し、次いで、ケーシングを引き抜くとともに定着部材で該結束注入細管を地盤中に定着してのち、結束注入細管の吐出口から注入液を地盤中に注入することを特徴とする地盤注入工法。
【請求項１９】
請求項１８において、ケーシング中にシールグラウトを注入し、結束注入細管まわりをシールグラウトで覆って該結束注入細管を地盤中に定着する請求項１８に記載の地盤注入工法。
【請求項２０】
請求項１８において、前記結束注入細管に一個または複数個のパッカ用袋体を装着し、注入液を地盤中に注入するに当たり、前記パッカ用袋体を流体で膨張させ、削孔の壁面に圧接してパッカを形成する請求項１８に記載の地盤注入工法．
【請求項２１】
請求項１８において、結束注入細管を複数本地盤中に設置し、これら結束注入細管のいずれかの複数の吐出口から注入液を同時に注入する請求項１８に記載の地盤注入工法。
【発明の詳細な説明】
【技術分野】
【０００１】
本発明は複数本の細管を結束して構成され、先端部に定着部材が装着された結束注入細管の構造、地盤中への定着方法および地盤注入工法に係り、特に、地下水面下の浮力の働く地盤中で所定の位置に定着し得、ケーシングと一緒に引き抜かれることを防止して所定領域に注入を可能とする結束注入細管構造、地盤中への定着方法および地盤注入工法に関する。
【背景技術】
【０００２】
地盤は通常、各層ごとに透水係数や間隙率が異なり、このため、各層ごとに地盤状況が異なるものであり、したがって、地盤注入に当たり、複数の細管を結束して構成され、各層ごとに吐出口を備えた結束注入細管の使用が望まれる。
【０００３】
しかし、この種の結束注入細管は特に地下水面下の浮力の働く地盤中にケーシングで削孔してのち埋設した場合、浮力の作用で浮き上がってしまい、あるいはケーシングを引き抜く際にケーシングとともに引き抜かれてしまい、このため、結束注入細管を地盤中の所定の位置に定着させることが困難であり、所定位置への注入液の注入が不可能であった。
【特許文献１】特開平１０−２１７８２８号公報
【発明の開示】
【発明が解決しようとする課題】
【０００４】
解決しようとする問題点は地下水面下の浮力の働く地盤中で所定の位置に定着し得、かつ、ケーシングと一緒に引き抜かれることを防止し、さらに、所定深度に注入を可能とする結束注入細管、この定着方法および地盤注入工法である。
【課題を解決するための手段】
【０００５】
本発明は各々に吐出口を有する複数の細管を結束して構成され、これを地盤中に挿入し、前記各々の細管を通して各吐出口から地盤中に注入材を注入する結束注入細管において、該結束注入細管の先端部に定着部材を装着して該結束注入細管を地盤に定着させることを特徴とする結束注入細管構造である。
【０００６】
さらに、本発明は次の工程（ａ）〜（ｃ）からなる結束注入細管の地盤中への定着方法である。
【０００７】
（ａ）地盤中にケーシングを削孔しながら配置する。
【０００８】
（ｂ）各々に吐出口を有する複数の細管を結束し、かつ先端部に定着部材を装着して構成された結束注入細管をケーシング中に挿入あるいは落とし込む。（水平または斜め方向に定着させる場合はケーシング中に挿入する。）
（ｃ）ケーシングのみを引き抜くとともに、結束注入細管の先端に装着された定着部材を地盤中のそのままの位置に定着させることにより、結束注入細管を地盤中に定着させる。
【０００９】
さらにまた、本発明は地盤に形成された削孔中に、複数の細管を結束し、先端に定着部材の装着された結束注入細管を挿入して前記結束注入細管を地盤中に定着し、次いで、該細管の吐出口から注入液を地盤中に注入することを特徴とする地盤注入工法である。
【００１０】
さらに、本発明は地盤の削孔に設置されたケーシング中に、複数の細管を結束し、先端に定着部材が装着された結束注入細管を挿入し、次いで、ケーシングを引き抜くとともに定着部材で該結束注入細管を地盤中に定着してのち、結束注入細管の吐出口から注入液を地盤中に注入することを特徴とする地盤注入工法である。
【発明の効果】
【００１１】
上述の本発明の結束注入細管、地盤への定着方法および地盤注入工法は地下水面下の浮力の働く地盤中で所定の位置に定着し得、かつケーシングと一緒に引き抜かれることを防止し、さらに所定深度に注入を可能とする。
【発明を実施するための最良の形態】
【００１２】
以下、本発明を添付図面を用いて詳述する。
【００１３】
図１は本発明にかかる結束注入細管構造を表した図面であって、図１−Ａは定着部材として折りたたみ自在なアンカー部材を用いた例、図１−Ｂは定着部材として錘りを用いた例、図１−Ｃは定着部材として流体の注入により膨張する袋体を用いた例をそれぞれ示す。
【００１４】
図１に示される本発明にかかる結束注入細管１は各々に吐出口２，２・・・２を有する複数の細管３，３・・・３を柔軟で可撓性を有する、例えば合成樹脂製のカバーチューブ４で囲繞することにより結束して構成される。このとき、各細管３，３・・・３の吐出口２，２・・・２はそれぞれ軸方向の任意の個所であって、カバーチューブ４の外側に臨ませ、露出させる。
【００１５】
上述の本発明にかかる結束注入細管１は後述の図２で詳述するとおり、ケーシングにより削孔の後、ケーシング中に挿入し、ケーシングを引き抜くとともに定着部材で地盤中に定着して地盤５に挿入され、次いで、注入細管１の任意の個所に装着されたパッカ用袋体６に流体を注入し、膨張させて逆流防止用のパッカ７を形成の後、各々の細管３，３・・・３を通して各吐出口２，２・・・２から地盤５中に注入材を注入する。あるいは後述の図７に示されるように、ケーシング中にシールグラウト１５を注入の後、ケーシングを引き抜き、結束注入細管１まわりをシールグラウト１５で覆って注入液の逆流を防止する。このようにして結束注入細管１を地盤５中に挿入し、定着の後それぞれの細管３，３・・・３を通して各吐出口２，２・・・２から地盤５中に注入液を注入する。
【００１６】
本発明の特徴は図１に示されるように、結束注入細管１の先端部８に定着部材９を装着して結束注入細管１を地盤中に定着させることに存する。定着部材９としては、図１−Ａに示されるアンカー、図１−Ｂに示される錘り、、図１−Ｃに示される流体の圧入によって膨張する袋体等が用いられる。
【００１７】
上述構成からなる結束注入細管１は、図２に示されるように、地盤５中に定着される。図２は海底の地盤５に結束注入細管１を定着させる例である。
【００１８】
図２において、まず、図２−Ａに示されるように、海洋１０上の台船１１からケーシング１２を地盤５中に回転しながら地盤５を削孔して設置する。
【００１９】
次いで、図２−Ｂに示されるように、定着部材９として先端部８にアンカーの装着された図１−Ａに示される結束注入細管１をケーシング１２中に落とし込んだ後、図２−Ｃに示されるように、ケーシング１２のみを引き上げる。このとき、ケーシング１２中に水や、泥水、あるいはセメント・ベントナイト液等の流体を圧入しながらケーシング１２を引き上げると、流体の圧力によってラバーシール１３が下方に押圧されて結束注入細管１の上方への移動を阻止する。この状態でケーシング１２を引き抜くと、図２−Ｃに示されるように、結束注入細管１は上方への移動が阻止されているので、ケーシング１２のみが引き抜かれ、アンカーがケーシング１２から飛び出して開き、定着部材９として作用する。
【００２０】
なお、結束注入細管１の少なくとも一本に流体を圧入しながらケーシング１２中に結束注入細管１を落とし込み、ケーシング１２を引き抜いて結束注入細管１を地盤５中に定着させることもできる。  
【００２１】
このようにして、ケーシング１２のみを引き抜き、定着部材９によって結束注入細管１を地盤５中に定着させた後、図２−Dに示されるように、結束注入細管１の任意の個所に装着されたパッカ用袋体６に流体を導入し、膨張させて逆流防止用のパッカ７を形成する。その後、図２−Eに示されるように、細管３を通して吐出口２から地盤５中に注入材を注入し、図２−Eおよび図２−Fの斜線で示されるように注入液によって地盤５が固結され、固結体１４を形成する。
【００２２】
なお、パッカ７は場合によってはなくてもよい。ケーシングの引き抜きとともに削孔壁がくずれて結束注入細管まわりが土砂で填充される場合には、そのまま、結束注入細管の各吐出口から注入してもよい。あるいは、ケーシングに結束注入細管を挿入する前に、シールグラウトをケーシングに注入しておき、その後に結束注入細管を挿入し、定着部材で結束注入細管を定着しながら、ケーシングのみを引き抜いてもよい。シールグラウトはケーシング中に結束注入細管を挿入しながら注入してもよく、または結束注入細管を挿入の後にケーシング中に注入してもよい。もちろん、図２−Dに示されるように、パッカ７とシールグラウト１５の両方を用いることもできる。
【００２３】
上述の結束注入細管の地盤への定着方法において、ケーシング１２にシールグラウト１５を注入の後に、先端に定着部材９の装着された結束注入細管１をケーシング１２中に落とし込み、ケーシング１２のみを引き抜いて結束注入細管１を地盤５に定着させてもよく、また、ケーシング１２中に結束注入細管を落とし込んだ後、この中にシールグラウト１５を注入しながらケーシング１２のみを引き抜いて結束注入細管１を地盤５中に定着させてもよい。
【００２４】
上述のシールグラウト１５は図２−Dに示されるように結束注入細管１を囲み込み、注入に際して、注入材はシールグラウト１５を割裂しながら図２−Eおよび図２−Fに示されるように地盤５中に注入され、固結体１４を形成する。
【００２５】
結束注入細管１として図１−Aのものを用いた場合、ケーシング１２を引き抜く前では、図３−Aに示されるように、定着部材９としてのアンカーはケーシング１２内でたたみ込まれているが、ケーシング１２を引き抜いた後では図３−Bに示されるように、アンカーが開いて定着部材９としての作用を呈する。結束注入細管１は図２−Fに示されるように、アンカー９のみを地盤５中に残して引き上げてもよく、図２−Eの状態で終了して埋め殺しにしてもよい。
【００２６】
結束注入細管１として、図１−Bのものを用いた場合、ケーシング１２を引き抜く前では、図４−Aに示されるように、定着部材９としての錘りはケーシング１２内にあるが、ケーシング１２を引き抜いた後では、図４−Bに示されるように、錘り９が地盤５中で定着部材９としての作用を呈する。結束注入細管１は図示しないが、図２−Fと同様、錘りのみを地盤中に残して引き上げてもよく、図２−Eと同様の状態で終了して埋め殺しにしてもよい。
【００２７】
結束注入細管１として、図１−Cのものを用いた場合、ケーシング１２を引き抜く前では、図５−Aに示されるように、定着部材９としての袋体は内部に流体が圧入されておらず、縮んだ状態であるが、ケーシング１２を引き抜くときには、袋体に流体が圧入されて図５−Bに示されるように膨張し、地盤５中で定着部材９としての作用を呈する。結束注入細管１の各吐出口２，２・・・２から注入液が注入された後は、結束注入細管１は埋め殺しにしても、図２−Fのように引き抜いてもよい。結束注入細管１は袋体６内の流体が固結性流体の場合は、引き抜きにくいが、パッカ７よりも上の継ぎ目部分を弱く形成しておけば、海底面よりも上の部分の結束注入細管を引き抜くことができる。袋体内の流体が非固結性流体の場合は、流体の圧入を停止して袋体を縮めた状態で袋体とともに結束注入細管１を引き上げてもよい。なお、この場合も、図２−Eと同様の状態で終了し、結束注入細管１を地盤中に埋め殺しにしてもよい。
【００２８】
なお、本発明にかかる結束注入細管は地盤への定着に際して地盤が軟弱な場合には、結束注入細管の内部に硬質の芯材を挿入して、あるいは棒状体とともに、地盤中に直接圧入することもできる。この場合、先端部の定着部材が例えば図１−Aに示されるアンカーでは、圧入の間には図３−Aに示されるように収縮状態にあるが、引き抜こうとしたときに図３−Bのように収縮が開放されて開き、定着部材としての作用を呈する。先端部の定着部材が図１−Bに示される錘りでも同様である。さらに、先端部の定着部材が図１−Cに示される袋体でも、圧入後、袋体の中に流体を注入して膨張させることにより定着部材としての作用を呈する。
【００２９】
図６は注入液を地盤に注入するに際し、上述のようにして構成された結束注入細管１を地盤５中に形成された削孔１７中のケーシング１２に挿入してケーシング１２を引き抜き、地盤５中に定着させた後、吐出口２から流体をパッカ用袋体１６中に注入してパッカ１９を形成する例である。パッカ１９を形成して後、上下のパッカ間のすき間２５に結束注入細管１の吐出口２から注入液を地盤５中に注入する。
【００３０】
図６において、結束注入細管１に一個または複数個のパッカ用袋体１６を間隔をあけて装着して結束注入細管１とし、これを地盤５中の削孔１７に挿入してシールグラウトを注入することなく地盤5中に定着する。次いで、注入液を地盤５中に注入するに当って、パッカ用袋体１６を流体で膨張させ、削孔１７の壁面１８に圧接させてパッカ１９を形成してのち、吐出口２，２・・・２から注入液をすき間２５を経て壁面１８を通して地盤５中に注入する。もちろん、地盤状況によっては所定のパッカ間にシールグラウトを填充してもよい。
【００３１】
上述において、流体として水や、空気、あるいは不活性気体等のような非固結性流体を用いる場合は、流体の圧力を低下すればパッカ用袋体１６は収縮するため、結束注入細管１は注入完了後に引き抜き、回収することができる。
【００３２】
図７および図８は集中管理システムを用いて注入管理する例であって、いずれの例も、注入液は注入薬液タンク２０から集中管理システムにより注入管理されて各細管３，３・・・３に導入され、地盤５中に定着された結束注入細管１の吐出口２，２・・・２から地盤５中に注入される。図７および図８において、結束注入細管１のまわりはいずれもシールグラウト１５で覆われ、吐出口２，２・・・２からの注入液はこのシールグラウトを割裂して地盤５中に注入される。以下、図７および図８の注入システムを詳述する。
【００３３】
図７は一台の注入ポンプから分配装置および分岐管を通して複数の細管３，３・・・３に同時注入する地盤注入システムの具体例の説明図であって、制御部２６、注入加圧部２７、注入液分配部２８、注入部２９および送液系３０から構成される。
【００３４】
注入液加圧部２７は図７に示されるように、注入薬液タンク２０からの注入液を注入ポ
ンプ２１により加圧し、加圧注入液として送液系３０を介して注入液分配部２８に送液する。注入ポンプ２１は制御部２６の注入監視盤３１からの指示を受け、注入液を所望の圧力に加圧する。
【００３５】
注入液分配部２８は複数本の分岐管３２，３２・・・３２を備える。これら分岐管３２，３２・・・３２はそれぞれ先端に細管３，３・・・３と連結する連結部３３を有するものである。この連結部３３は所定の細管３，３・・・３を通して所定の注入量を注入し終わった時点、あるいは所定の注入圧に達した時点で、その分岐管３２を他の細管３，３・・・３に連結換えすることもできる。
【００３６】
分岐管３２，３２・・・３２は図７に示されるように、分配装置３４からそれぞれ伸長して配置され、先端の連結部３０で細管３と連結される。そして、加圧部２７からの加圧注入液は分配装置３４を介して各分岐管３２，３２・・・３２に分配され、細管３，３・・・３に送液される。また、図７において、分岐流量計３５，３５・・・３５の総量を測定すれば、送液流量計３６の流量を把握することができ、この場合、送液流量計３６は必ずしも必要としない。
【００３７】
図７において、分岐管３２，３２・・・３２はそれぞれ、分岐バルブ３７，３７・・・３７を装着し、さらに、必要に応じて分岐流量計３５，３５・・・３５および／または分岐圧力計３８，３８・・・３８を装着する。分岐管３２，３２・・・３２は連結部３３を介して加圧部２７からの加圧注入液を各細管３，３・・・３に送液する。なお、分岐流量計３５，３５・・・３５は分岐バルブ３７，３７・・・３７の上流側に設けることもできる。さらに分岐バルブ３７，３７・・・３７にストップバルブの機能をもたせることにより、送液バルブ３９は必ずしも必要としなくなる。
【００３８】
注入加圧部２７からの注入液分配部２８に至る加圧注入液の送液系３０には送液流量計３６および／または送液圧力計４０が備えられる。さらに、これら送液流量計３６および／または送液圧力計４０よりも下流あるいは分岐管３２よりも上流の送液系３０には送液バルブ３９が備えられる。
【００３９】
制御部２６は注入監視盤３１を主体とし、これに加えて操作盤４１、注入記録盤４２、およびデータ入力装置４３を内臓し、あるいはこれらを制御部２６の外から信号回路によって制御部２６に接続して構成される。この制御部２６は送液流量計３６、送液圧力計４０、分岐流量計３５および分岐圧力計３８のいずれか一つ、または二つ以上、および注入加圧部２７にそれぞれ信号回路によって接続され、送液流量計３６および／または送液圧力計４０からの情報、あるいは分岐圧力計３８，３８・・・３８および／または分岐流量計３５，３５・・・３５からの情報に基づき、注入加圧部２７を制御する。
【００４０】
これにより、加圧注入液の所定の設定流量ないしは設定圧力をもって、あるいは限界範囲内の流量ないしは圧力をもって注入液を一つの送液系から複数の細管３，３・・・３に、同時に、選択的に、あるいはさらに、自動的に送液、注入する。また、加圧注入液の所定の圧力と絞り部あるいは分岐バルブの流路の面積に対応して所定の吐出量を得ることができ、この結果、広範囲の地盤を急速、かつ確実に改良する。
【００４１】
さらに、分岐バルブ３７，３７・・・３７の操作は手動で行うこともできるが、それぞれ信号回路により制御部２６で操作することもできる。そして、上述の送液流量計３６および／または送液圧力計４０からの情報に基づき、あるいは、分岐流量計３５および／または分岐圧力計３８からの情報に基づき、分岐バルブ３７，３７・・・３７のオンオフおよび絞り制御、図７に示されるように注入液加圧部２７の注入薬液タンク２０に通じるリターン管路４４，４４・・・４４への切換え制御、さらには、図示しないが水洗管路への切換え制御が分岐バルブ３７，３７・・・３７によって行われる。また、分岐管３２，３２・・・３２の細管３，３・・・３への連結換えも行われる。
【００４２】
図７において、リターン管路４４は分岐バルブ３７，３７・・・３７に直接設けられる。そして、各分岐管３２，３２・・・３２からの所定注入量が完了した時点で注入液をこのリターン管路４４を通して注入薬液タンク２０にもどすことにより、あるいは分岐管３２，３２・・・３２を他の細管３，３・・・３に連結換えすることにより、インバータを調整して送液流量を調整しなくても、同一送液圧力で全分岐管３２，３２・・・３２からの注入が完了するまで注入を続けることができる。水洗管路は図示しないが、分岐バルブ３７，３７・・・３７の切換えにより分岐管、分配装置等が水洗される。
【００４３】
さらに、送液系３０に備えられた送液バルブ３９も手動によって操作できるが、信号回路によって制御部２６に接続して操作することもできる。そして、上述と同様、送液流量計３６および／または送液圧力計４０からの情報に基づき、あるいは、分岐流量計３５，３５・・・３５および／または分岐圧力計３８，３８・・・３８からの情報に基づき、送液バルブ３９のオンオフ制御、送液バルブ３９の開口度の絞り制御等を行うことができる。これら送液バブルや分岐バルブとして、電磁バルブ、エアーバルブ、油圧バルブ等が用いられる。
【００４４】
また、各分岐管３２，３２・・・３２に装着された分岐流量計３５，３５・・・３５および／または分岐圧力計３８，３８・・・３８も、信号回路によって制御部２６に接続される。そして、分岐流量計３５および／または分岐圧力計３８からの情報に基づいて、あるいはさらに、送液流量計３６および／または送液圧力計４０からの情報に基づいて上述と同様の制御が可能である。
【００４５】
なお、上述の分岐流量計３５，３５・・・３５は回転流量計あるいは電磁流量計等、任意の流量計を使用でき、パルスで出力された電気信号が制御部２６に入力され、カウントされる。また、送液流量計３６および／または送液圧力計４０や、分岐流量計３５および／または分岐圧力計３８からの情報に基づく制御部２６からの注入液加圧部２７への指示によりインバータが制御され、注入ポンプ２１の回転数を調整し、毎分流量ｆｏや注入圧力Ｐｏを制御し、分岐管３２の流量を制御する。
【００４６】
図７は注入加圧部２７に注入液リターンシステム４５を設けた例を示す。注入液加圧部２７から注入液分配部２８の分岐バルブ３７に至る加圧注入液の送液系３０の任意の個所あるいは分配装置３４に送液圧力計４０および注入液リターン装置４６を設け、かつ制御部２６に流量圧力制御装置４７を設ける。そして送液圧力計４０および／または送液流量計３６を流量圧力制御装置４７に接続するとともに、注入液リターン装置４６も流量圧力制御装置４７に接続する。
【００４７】
注入液リターン装置４６は送液圧力計４０および／または送液流量計３６からの情報に基づき、送液系３０中の注入液を送液系３０からリターン管路４４に分流して注入液の一部を注入薬液タンク２０にリターンさせることにより、送液系３０の液圧を所望の圧力に保持し、これにより分配装置３４を通して各分岐管３２，３２・・・３２から細管３，３・・・３に送液される注入液の吐出量を所望の量に調整するとともに、さらに複数の分岐管３２，３２・・・３２のいずれかが注入を終了あるいは停止しても、分配装置内の加圧注入液に圧力変化を起こさせず、したがって、所定圧力を保持したまま、残りの各分岐管３２，３２・・・３２の吐出量を所定量に保持して注入でき、最後の一本まで自動的に同一吐出量できる。
【００４８】
図８は注入ポンプとしてユニットポンプ２１Aを用い、多数のユニットポンプ２１A，２１A・・・２１Aからそれぞれ複数の細管３，３・・・３に同時注入する地盤注入システムの具体例の説明図である。図８において、注入薬液タンク２０は各ユニットポンプ２１A，２１A・・・２１Aからそれぞれ結束注入細管１の各細管３，３・・・３に連結される。そして、注入液はユニットポンプ２１A，２１A・・・２１Aの作動により各細管３，３・・・３に送液され、地盤５に注入される。各細管３，３・・・３には圧力計２２および流量計２３が配置される。これらは図示しない注入監視盤を有するコントローラ２４に接続されるとともに、各ユニットポンプ２１A，２１A・・・２１Aもコントローラ２４に接続され、多数のユニットポンプ２１A，２１A・・・２１Aからのそれぞれの注入液の吐出量が一セットのコントローラ２４によって流量、圧力が一括監視され、注入作業が制御されて全体が一セットの注入システムとして作動する。なお、多数のユニットポンプが一台の駆動体によって駆動され、注入液を各細管３，３・・・３に同時に送液してもよい。
【産業上の利用可能性】
【００４９】
地盤中に結束注入細管を挿入し、この細管を通して地盤中に注入液を注入して該地盤を固結するに際し、地下水面下の浮力の働く地盤中で所定の位置に定着し得、また、ケーシングの引き抜きのときに一緒に引き抜かれることのない構造を有する結束注入細管を提供する。しかも、このような結束注入細管を地盤中の所定深度に定着させ、所定深度に注入を可能とするものであり、海底地盤への注入のみならず、地上における地下水面下の地盤注入、あるいはトンネルの切羽注入、建物下の曲線ボーリングによる液状化防止工事等、斜め上方向、あるいは水平方向への注入等にも適用される。
【図面の簡単な説明】
【００５０】
【図１−Ａ】定着部材として折りたたみ自在なアンカーを用いた結束注入細管の側面図である。
【図１−Ｂ】定着部材として錘りを用いた結束注入細管の側面図である。
【図１−Ｃ】定着部材として流体の注入によって膨張する袋体を用いた結束注入細管の側面図である。
【図２−Ａ】海洋の地盤中にケーシングを埋設した断面図である。
【図２−Ｂ】図２−Aのケーシング中に、定着部材として先端部にアンカーの装着された図１−Aの結束注入細管を落とし込んだときの断面図である。
【図２−Ｃ】図２−Bのケーシングを引き上げてアンカーを飛び出した状態の断面図である。
【図２−Ｄ】図２−Bのケーシングを引き上げ、削孔にシールグラウトを充填し、パッカ用袋を膨張させてパッカを形成した状態の断面図である。
【図２−Ｅ】吐出口から注入液を地盤中に注入して地盤に固結体を形成した状態の断面図である。
【図２−Ｆ】図２−Eにおいて、注入液をさらに注入の後、先端のアンカーのみを地盤中に残して結束注入細管を引き抜いた状態の断面図である。
【図３−Ａ】結束注入細管先端部のアンカーがケーシング中にたたみ込まれた状態の部分断面図である。
【図３−Ｂ】図３−Aにおいて、ケーシングを引き抜き、アンカーを地盤中に飛び出した状態の部分断面図である。
【図４−Ａ】結束注入細管先端部の錘りがケーシング中に収納されている状態の部分断面図である。
【図４−Ｂ】図４−Aにおいて、ケーシングを引き抜き、錘りを地盤中に露出させた状態の部分断面図である。
【図５−Ａ】結束注入細管先端部の袋体が収縮した状態の部分断面図である。
【図５−Ｂ】図５−Aにおいて、袋体に流体を導入して膨張させた状態の部分断面図である。
【図６】結束注入細管に複数のパッカを間隔を開けて形成し、パッカ間のすき間から注入液を地盤中に注入する、実際の結束注入細管の使用状態を表した部分断面図である。
【図７】集中管理システムにより複数の細管を通して同時注入する地盤注入システムの一具体例の説明図である。
【図８】集中管理システムにより複数の細管を通して同時注入する地盤注入システムの他の具体例の説明図である。
【符号の説明】
【００５１】
１  結束注入細管
２  吐出口
３  細管
４  カバーチューブ
５  地盤
６  パッカ用袋体
７  パッカ
８  先端部
９  定着部材
１２  ケーシング
１３  ラバーシール
１４  固結体
１５  シールグラウト
１６  パッカ用袋体
１７  削孔
１８  壁面
１９  パッカ
２０  注入薬液タンク
２１  注入ポンプ
２１A  ユニットポンプ
２５  すき間
２６  制御部
２７  加圧部
２８  注入液分配部
２９  注入部
３０  送液系
３１  注入監視盤
３２  分岐管
３３  連結部
３４  分配装置
３５  分岐流量計
３６  送液流量計
３７  分岐バルブ
３８  分岐圧力計
３９  送液バルブ
４０  送液圧力計
４１  操作盤
４２  注入記録盤
４３  データ入力装置
４４  リターン管路
４５  注入液リターンシステム
４６  注入液リターン装置
４７  流量圧力制御装置
【図１−Ａ】
2005042426.tif 000003
【図１−Ｂ】
2005042426.tif 000004
【図１−Ｃ】
2005042426.tif 000005
【図２−Ａ】
2005042426.tif 000006
【図２−Ｂ】
2005042426.tif 000007
【図２−Ｃ】
2005042426.tif 000008
【図２−Ｄ】
2005042426.tif 000009
【図２−Ｅ】
2005042426.tif 000010
【図２−Ｆ】
2005042426.tif 000011
【図３−Ａ】
2005042426.tif 000012
【図３−Ｂ】
2005042426.tif 000013
【図４−Ａ】
2005042426.tif 000014
【図４−Ｂ】
2005042426.tif 000015
【図５−Ａ】
2005042426.tif 000016
【図５−Ｂ】
2005042426.tif 000017
【図６】
2005042426.tif 000018
【図７】
2005042426.tif 000019
【図８】
2005042426.tif 000020